【手続補正書】
【提出日】平成27年4月6日(2015.4.6)
【手続補正１】
【補正対象書類名】特許請求の範囲
【補正対象項目名】全文
【補正方法】変更
【補正の内容】
【特許請求の範囲】
【請求項１】
ＣＡ（Ｃａｒｒｉｅｒ  Ａｇｇｒｅｇａｔｉｏｎ）をサポートする無線通信システムにおける基地局のＴＡＧ（Ｔｉｍｉｎｇ  Ａｄｖａｎｃｅ  Ｇｒｏｕｐ）の管理方法において、
少なくとも１つのセルを少なくとも１つのＴＡＧにマッピングする段階と、
設定されるべきセルが特定のＴＡＧに含まれているか否かを判断する段階と、
前記セルが特定のＴＡＧに含まれていないと、前記セルのＴＡＧ識別子が設定された制御情報を端末に伝送する段階と、
前記セルが特定のＴＡＧに含まれていると、前記セルのＴＡＧ識別子なしに制御情報を端末に伝送する段階とを含み、
前記ＴＡＧは、同一のアップリンクタイミングが設定された少なくとも１つのセルを含むことを特徴とする方法。
【請求項２】
前記特定のＴＡＧは、プライマリセル(Ｐｒｉｍａｒｙ  Ｃｅｌｌ)を含むプライマリＴＡＧ（Ｐｒｉｍａｒｙ  ＴＡＧ）であることを特徴とする請求項１に記載の方法。
【請求項３】
前記ＴＡＧ識別子と関連するＴＡＧのタイミングを調整するために、ＴＡＧ識別子及びＴＡＣ（Ｔｉｍｉｎｇ  Ａｄｖａｎｃｅ  Ｃｏｍｍａｎｄ）を含むＭＡＣ  ＣＥ（ＭＡＣ  Ｃｏｎｔｒｏｌ  Ｅｌｅｍｅｎｔ）を前記端末に伝送する段階をさらに含むことを特徴とする請求項１に記載の方法。
【請求項４】
前記ＴＡＧ識別子が０であると、前記ＴＡＣは前記プライマリＴＡＧのためのものであることを特徴とする請求項３に記載の方法。
【請求項５】
前記ＴＡＧ識別子が０ではないと、前記ＴＡＣは前記プライマリセルを含まないセカンダリＴＡＧ(Ｓｅｃｏｎｄａｒｙ  ＴＡＧ)のためのものであることを特徴とする請求項３に記載の方法。
【請求項６】
ＰＤＣＣＨ  ｏｒｄｅｒを利用して、少なくとも１つのセカンダリセルのタイミングを調整するための非競争ベースランダムアクセス手順を開始する段階をさらに含むことを特徴とする請求項１に記載の方法。
【請求項７】
ＣＡ（Ｃａｒｒｉｅｒ  Ａｇｇｒｅｇａｔｉｏｎ）をサポートする無線通信システムにおけるＴＡＧ（Ｔｉｍｉｎｇ  Ａｄｖａｎｃｅ  Ｇｒｏｕｐ）の管理のための基地局において、
信号を送信及び受信する送受信部と、
少なくとも１つのセルを少なくとも１つのＴＡＧにマッピングし、
設定されるべきセルが特定のＴＡＧに含まれているか否かを判断し、
前記セルが特定のＴＡＧに含まれていないと、前記セルのＴＡＧ識別子が設定された制御情報を端末に伝送し、
前記セルが特定のＴＡＧに含まれていると、前記セルのＴＡＧ識別子なしに制御情報を端末に伝送するように制御する制御部とを含み、
前記ＴＡＧは、同一のアップリンクタイミングが設定された少なくとも１つのセルを含むことを特徴とする基地局。
【請求項８】
前記特定のＴＡＧは、プライマリセル(Ｐｒｉｍａｒｙ  Ｃｅｌｌ)を含むプライマリＴＡＧ（Ｐｒｉｍａｒｙ  ＴＡＧ）であることを特徴とする請求項７に記載の基地局。
【請求項９】
前記制御部は、
前記ＴＡＧ識別子と関連するＴＡＧのタイミングを調整するために、ＴＡＧ識別子及びＴＡＣ（Ｔｉｍｉｎｇ  Ａｄｖａｎｃｅ  Ｃｏｍｍａｎｄ）を含むＭＡＣ  ＣＥ（ＭＡＣ  Ｃｏｎｔｒｏｌ  Ｅｌｅｍｅｎｔ）を前記端末に伝送するように制御することを特徴とする請求項７に記載の基地局。
【請求項１０】
前記ＴＡＧ識別子が０であると、前記ＴＡＣは前記プライマリＴＡＧのためのものであることを特徴とする請求項９に記載の基地局。
【請求項１１】
前記ＴＡＧ識別子が０ではないと、前記ＴＡＣは前記プライマリセルを含まないセカンダリＴＡＧ(Ｓｅｃｏｎｄａｒｙ  ＴＡＧ)のためのものであることを特徴とする請求項９に記載の基地局。
【請求項１２】
前記制御部は、
ＰＤＣＣＨ  ｏｒｄｅｒを利用して、少なくとも１つのセカンダリセルのタイミングを調整するための非競争ベースランダムアクセス手順を開始するように制御することを特徴とする請求項７に記載の基地局。
【請求項１３】
ＣＡ（Ｃａｒｒｉｅｒ  Ａｇｇｒｅｇａｔｉｏｎ）をサポートする無線通信システムにおける端末のＴＡＧ（Ｔｉｍｉｎｇ  Ａｄｖａｎｃｅ  Ｇｒｏｕｐ）の管理方法において、
第１のセルの設定に関する第１の制御情報を受信する段階と、
第２のセルが特定のセルに含まれていないと、第２の制御情報はＴＡＧ識別子を含み、第２のセルが特定のセルに含まれていると、第２の制御情報はＴＡＧ識別子を含まない、第２のセルの設定に関する第２の制御情報を受信する段階と、
前記ＴＡＧ識別子と関連するＴＡＧのタイミングを調整するために、前記第１のセルまたは前記第２のセルのうち少なくとも１つと関連するＴＡＧ識別子及びＴＡＣ（Ｔｉｍｉｎｇ  Ａｄｖａｎｃｅ  Ｃｏｍｍａｎｄ）を含むＭＡＣ  ＣＥ（ＭＡＣ  Ｃｏｎｔｒｏｌ  Ｅｌｅｍｅｎｔ）を受信する段階と、
前記ＴＡＧ識別子と関連するＴＡＧに前記ＴＡＣを適用する段階とを含むことを特徴とする方法。
【請求項１４】
前記ＴＡＧ識別子が０であると、前記ＴＡＣはプライマリセル（Ｐｒｉｍａｒｙ  Ｃｅｌｌ）を含むプライマリＴＡＧ（Ｐｒｉｍａｒｙ   ＴＡＧ）のためのものであり、
前記ＴＡＧ識別子が０ではないと、前記ＴＡＣは前記プライマリセルを含まないセカンダリＴＡＧ(Ｓｅｃｏｎｄａｒｙ  ＴＡＧ)のためのものであることを特徴とする請求項１３に記載の方法。
【請求項１５】
前記ＴＡＧは、同一のアップリンクタイミングが設定された少なくとも１つのセルを含むことを特徴とする請求項１３に記載の方法。
【請求項１６】
前記第１のセルはプライマリセルであり、前記第１のセルのためのＴＡＧはプライマリＴＡＧであることを特徴とする請求項１３に記載の方法。
【請求項１７】
ＰＤＣＣＨ  ｏｒｄｅｒを利用して、少なくとも１つのセカンダリセルのタイミングを調整するための非競争ベースランダムアクセス手順を開始するための情報を受信する段階をさらに含むことを特徴とする請求項１３に記載の方法。
【請求項１８】
ＣＡ（Ｃａｒｒｉｅｒ  Ａｇｇｒｅｇａｔｉｏｎ）をサポートする無線通信システムにおける端末のＴＡＧ（Ｔｉｍｉｎｇ  Ａｄｖａｎｃｅ  Ｇｒｏｕｐ）の管理方法において、
信号を送信及び受信する送受信部と、
第１のセルの設定に関する第１の制御情報を受信し、
第２のセルの設定に関する第２の制御情報を受信し、
前記第２のセルが特定のセルに含まれていないと、前記第２の制御情報はＴＡＧ識別子を含み、前記第２のセルが特定のセルに含まれていると、前記第２の制御情報はＴＡＧ識別子を含まず、
前記ＴＡＧ識別子と関連するＴＡＧのタイミングを調整するために、前記第１のセルまたは前記第２のセルのうち少なくとも１つと関連するＴＡＧ識別子及びＴＡＣ（Ｔｉｍｉｎｇ  Ａｄｖａｎｃｅ  Ｃｏｍｍａｎｄ）を含むＭＡＣ  ＣＥ（ＭＡＣ  Ｃｏｎｔｒｏｌ  Ｅｌｅｍｅｎｔ）を受信し、
前記ＴＡＧ識別子と関連するＴＡＧに前記ＴＡＣを適用するように制御する制御部とを含むことを特徴とする端末。
【請求項１９】
前記ＴＡＧ識別子が０であると、前記ＴＡＣはプライマリセル(Ｐｒｉｍａｒｙ  Ｃｅｌｌ)を含むプライマリＴＡＧ（Ｐｒｉｍａｒｙ  ＴＡＧ）のためのものであり、
前記ＴＡＧ識別子が０ではないと、前記ＴＡＣは前記プライマリセルを含まないセカンダリＴＡＧ(Ｓｅｃｏｎｄａｒｙ  ＴＡＧ)のためのものであることを特徴とする請求項１８に記載の端末。
【請求項２０】
前記ＴＡＧは、同一のアップリンクタイミングが設定された少なくとも１つのセルを含むことを特徴とする請求項１８に記載の端末。
【請求項２１】
前記第１のセルはプライマリセルであり、前記第１のセルのためのＴＡＧはプライマリＴＡＧであることを特徴とする請求項１８に記載の端末。
【請求項２２】
前記制御部は、
ＰＤＣＣＨ  ｏｒｄｅｒを利用して、少なくとも１つのセカンダリセルのタイミングを調整するための非競争ベースランダムアクセス手順を開始するための情報を受信するように制御することを特徴とする請求項１８に記載の端末。